(57)【特許請求の範囲】
【請求項１】
前方に支柱が備えられたメインフレームと、前記メインフレームの上部の後方に回動することができるように備えられる支持台を含んでから構成される固定装置が備えられたイーゼルにおいて、
前記支柱には最小限一つ以上の加圧固定装置が具備され前記支柱に据え置きになる陳列品を加圧支持するよう構成され、
前記加圧固定装置は、前記支柱の支持面に対して前後方向にスライディング運動をするように具備されて前方には加圧部が具備されているスライディングユニットと、前記支柱の後方に固定されて前記スライディングユニットを案内するガイド部及び前記スライディングユニットに弾性力を付け加える弾性部材を含んで構成され、
前記弾性部材は、一端が前記加圧部の後面に固定されて他側は前記ガイド部を貫くように備えられる支持バーと、前記支持バーの外側に備えられるコイルスプリングから構成される、
固定装置が備えられたイーゼル。
【請求項２】
前記メインフレームの上部の前方には固定支持台がさらに具備されて、前記固定支持台には最小限一つ以上の加圧固定装置がさらに具備され前記固定支持台により支持される陳列品の上部の後面を加圧しながら固定する、請求項１に記載の固定装置が備えられたイーゼル。
【請求項３】
前記加圧固定装置には前記スライディングユニットを固定する固定レバーがさらに備えられる、請求項１に記載の固定装置が備えられたイーゼル。
【請求項４】
前記ガイド部には固定レバーがさらに具備され前記固定レバーが前記支持バーを加圧固定しながら前記スライディングユニットを特定の位置に固定する、請求項１に記載の固定装置が備えられたイーゼル。
【請求項５】
前記スライディングユニットの長さ方向の側面には揺動防止部がさらに具備され前記スライディングユニットが揺動することを防止する、請求項１に記載の固定装置が備えられたイーゼル。
【請求項６】
前記固定レバーの両側面には揺動防止部がさらに具備され前記揺動防止部が前記スライディングユニットの両側面を支持する、請求項４に記載の固定装置が備えられたイーゼル。
【請求項７】
前記支柱の前方には補助支柱がさらに具備されている、請求項１に記載の固定装置が備えられたイーゼル。
【発明の詳細な説明】
【技術分野】
【０００１】
本発明は固定装置が備えられたイーゼルに関し更に詳しくはイーゼルに据え置きされる額縁などを固定する装置が具備され額縁などがイーゼルに堅固に固定され前記イーゼルから離脱し落ちたり傾いたりすることを防止することができる固定装置が備えられたイーゼルに関する。
【背景技術】
【０００２】
イーゼルは写真や絵または献立などを多くの人が見られるように据え置きする装置を言う。イーゼルは両足が底面を支持する支持フレームと前記支持フレームの前方に具備され全面に額縁などを据え置きする画板支柱と前記支持フレームの後面の中央に具備され勾配角を調節するとともに支持フレームを支持する支持足を含んで構成される。
【０００３】
前記のような構成で、支持フレームと支持足を決まった角度に開けて支持フレームの両側と支持足が三角形になるように底面に建てた後、画板支柱に額縁や献立などを据え置きするようになる。
【０００４】
しかし、イーゼルは地面に固定されるのではなく単純に立てられている構成であり、多くの人が往き来する場所に立てられ通り過ぎる人々にぶつかって搖れるとか倒れる場合がよくある。そうしてみると画板支柱に据え置きになっている額縁などがイーゼルから離脱して落ちるとか傾く場合が多い。額縁などがイーゼルから落ちるとか傾く場合には展示効果が半減されることは勿論、場合により額縁などが破損される場合が発生したりする。
【０００５】
このように額縁などがイーゼルから落ちるとか傾く場合に行事の進行が上手く進まないという印象を与えるだけでなく額縁などが破損される場合に責任所在を選り分けにくいという問題点がある。そして責任所在が明かされると言っても互いに協力関係にある行事進行者や訪問者に賠償を要求しやすくないことが現実である。したがってイーゼルに据え置きになる額縁がもうちょっと堅固に固定されるようにして恥ずかしい事が発生することを前もって防止するのが一番効果的であるが、イーゼルの構造や特性上そういう方法が取りにくいことが現実である。
【発明の概要】
【発明が解決しようとする課題】
【０００６】
本発明は前記のような課題を解決するためになされたものであって、イーゼルの全面に具備され額縁などを据え置きする画板支柱に固定装置を具備し前記イーゼルが風に搖れるとか訪問者がぶつかって動いても画板支柱に固定された額縁が落ちるとか傾かないようにする固定装置が備えられたイーゼルを提供することにその目的がある。
【課題を解決するための手段】
【０００７】
前記の課題を解決するための技術的手段としての本発明は、前方に支柱が備えられたメインフレームと、前記メインフレームの上部の後方に回動することができるように備えられる支持台を含んでから構成される固定装置が備えられたイーゼルにおいて、前記支柱には最小限一つ以上の加圧固定装置が具備されることができる。
【発明の効果】
【０００８】
本発明による固定装置が備えられたイーゼルによると、画板支柱に額縁を固定する固定装置が具備されイーゼルが搖れても額縁がイーゼルから離脱して落ちるとか傾くことを防止することができる利点がある。また、固定装置が画板支柱の後方に具備され前記画板支柱に額縁が据え置きになる場合に固定装置が額縁に隠れて見えないからこぎれいな外見を維持することができる利点がある。
【図面の簡単な説明】
【０００９】
【図１】本発明による固定装置が備えられたイーゼルの大略的な構成を現わす斜視図である。
【図２】本発明による固定装置が備えられたイーゼルに展示品が装着された状態を現わす斜視図である。
【図３】本発明による固定装置が備えられたイーゼルに展示品が装着された状態を現わす側面図である。
【図４】本発明による固定装置が備えられたイーゼルの加圧固定装置１７０の構成を現わす図面である。
【発明を実施するための形態】
【００１０】
以下、本発明の望ましい実施例を添付図面を参照し詳細に説明する。
【００１１】
図１は本発明による固定装置が備えられたイーゼルの大略的な構成を現わす斜視図であり、図２は本発明による固定装置が備えられたイーゼルに展示品が装着された状態を現わす斜視図である。
【００１２】
図１及び図２を参照すると、本発明による固定装置が備えられたイーゼルは、前方に支柱１３０が備えられたメインフレーム１００と前記メインフレーム１００の後方に回動することができるように備えられる支持台１１０を含んで構成される公知のイーゼルから構成される。
【００１３】
メインフレーム１００は一端が地面に触れるように構成される２個の足フレーム１１３と前記足フレーム１１３の間に備えられるガイドフレーム１１５から構成され、ガイドフレーム１１５には固定支持台１５０が上下方向に往復できるように結合されることができる。前記のような構成のイーゼルは従来に一般的に使われる構成であり、これに対する詳細な説明は省略する。
【００１４】
本発明による固定装置が備えられたイーゼルは前記のような構成で支柱１３０に最小限一つ以上の加圧固定装置１７０が具備され前記支柱１３０に据え置きされる額縁や黒板または絵などのような陳列品１０の後面を加圧し支持することができる。この時、加圧固定装置１７０は図面に図示されたように支柱１３０または固定支持台１５０の両側にそれぞれ一つずつ二つが備えられることが望ましいが、必要によっては一つが具備されるとか二つ以上が具備されることができることは勿論である。そしてイーゼルによっては陳列品１０の上部を支持する固定支持台１５０が具備されない場合もあるが、この時は支柱１３０と前記支柱１３０に備えられる加圧固定装置１７０だけに構成されることもできる。以下、加圧固定装置１７０の構成に対して詳細に説明する。加圧固定装置１７０が支柱１３０に備えられる場合には陳列品１０が置かれる前記支柱１３０の上部面に具備され、固定支持台１５０に加圧固定装置１７０が備えられる場合には前記固定支持台１５０が陳列品１０の上部を支持する下部面に備えられる。以下では加圧固定装置１７０が備えられる面を‘支持面’という。
【００１５】
図３は本発明による固定装置が備えられたイーゼルに展示品が装着された状態を現わす側面図であり、図４は本発明による固定装置が備えられたイーゼルの加圧固定装置１７０の構成を現わす図面である。
【００１６】
図３及び図４を参照すれば、加圧固定装置１７０は支柱１３０または固定支持台１５０の支持面に対し前後方にスライディング運動をするように備えられるスライディングユニット１７１と、前記スライディングユニット１７１を案内するガイド部１７３及び前記スライディングユニット１７１に弾性力を付け加える弾性部材１７５で構成されることができる。
【００１７】
スライディングユニット１７１は前方に陳列品１０の後面を加圧する加圧部１７１Ｐがさらに具備され全体的な形状がＬ字形状またはこれと類似の形状に構成されることができる。ガイド部１７３はスライディングユニット１７１の内側に長さ方向に長く切開されたガイドホール１７２Ｈが形成され、前記ガイドホール１７２Ｈにはガイドバー１７２Ｂが具備され前記ガイドホール１７２Ｈに沿ってガイドバー１７２Ｂが相対的な移動ができるように構成されることができる。この時、ガイドバー１７２Ｂは支柱１３０または固定支持台１５０の後方に固定されて、結果的にガイドホール１７２Ｈが形成されているスライディングユニット１７１がガイドバー１７２Ｂに対し前後方向で動く構造になる。ただ、前記のような構成は本発明によるガイド部１７３の一例を現わすことであり、スライディングユニット１７１が支柱１３０または固定支持台１５０の支持面に対して前後方向で動くことができる構造なら公知の多様な構造が適用されることができる。例えば、ガイド部１７３が図面とは反対にスライディングユニット１７１の側面をくるみながら支持し前記ガイド部１７３に対しスライディングユニット１７１が往復運動をするようにすることもできる。その他板状の構造や立体構造が往復運動をする構造などの公知の多様な構造があり、本発明による加圧固定装置１７０は陳列品１０の後面を加圧するために支持面に対して前後方でスライディング移動ができる構造なら公知の多様な構造が適用されることができる。
【００１８】
弾性部材１７５はスライディングユニット１７１に弾性力を付け加える役目をする。そしてスライディングユニット１７１がいつも前方を向けて決まった位置を維持するように加圧する。弾性部材１７５の一例として、図面に図示されたように一端が加圧部１７１Ｐの後面に固定されて他側はガイド部１７３を貫くように構成される支持バー１７４と、前記支持バー１７４の外側に備えられるコイルスプリングを挙げることができる。すなわち、支持バー１７４は円形または等しい断面を持つ多角形のバー（Ｂａｒ）に構成され一端は加圧部１７１Ｐの後面に固定されるとか支持され、他側は支柱１３０または固定支持台１５０に固定されているガイド部１７３を貫くように結合され前記支持バー１７４に外力が加えられる場合に前記支持バー１７４の他側が前記ガイド部１７３に対して往復運動できる構造になる。この時、支持バー１７４の外側に備えられるコイルスプリングは加圧部１７１Ｐとガイド部１７３の間に位置する支持バー１７４の外側に備えられる。そしてスライディングユニット１７１が他側に押されればコイルスプリングが収縮され、スライディングユニット１７１から外力をとり除けば収縮されたコイルスプリングにより前記スライディングユニット１７１が一側の方向に飛び出される構造になる。ただ、前記のような構成の弾性部材１７５は本発明の望ましい一例を現わすものであり、スライディングユニット１７１を前方に加圧する構造なら公知の多様な弾性部材１７５が適用されることができる。例えば、支持バー１７４のなしにコイルスプリングまたはトーションスプリング（図示せず）だけに構成されるようにすることもできることは勿論である。この外にも前述して説明したスライディングユニット１７１がイーゼルを支持面の前方に加圧する構造の多様な弾性部材１７５及びこれらの多様な設計方式が存在することができるし、このような弾性部材１７５の採用は当業者が容易く選択することができる事項である。
【００１９】
本発明による固定装置が備えられたイーゼルは前述して説明したスライディングユニット１７１を固定する固定レバー１７６がさらに具備されることができる。そして弾性部材１７５にもかかわらずスライディングユニット１７１を特定位置に固定することができる。例えば、図示されていないが、スライディングユニット１７１の上部面に鋸歯を形成し、前記スライディングユニット１７１の側面には前記鋸歯にかみ合う固定金具（図示せず）を具備することができる。また、スライディングユニット１７１の側面に前記スライディングユニット１７１の上部面を加圧する装置を具備することもできる。その外にもスライディングユニット１７１を固定する公知の多様な構造や装置が適用されることができる。
【００２０】
本発明の望ましい一例として、固定レバー１７６は前述したガイド部１７３に具備され支持バー１７４を加圧し固定するようにすることもできる。すなわち、支持バー１７４に接触する固定レバー１７６にカム（ｃａｍ）形状の構造を備え、前記固定レバー１７６は一側に立てておけば支持バー１７４が固定されず他側に寝かせれば支持バー１７４が加圧されながら固定されるようにできる。図面にはガイドバー１７２Ｂに固定レバー１７６が結合された構造を一例として図示した。
【００２１】
スライディングユニット１７１の長さ方向の側面には揺動防止部１７７がさらに具備されることができる。揺動防止部１７７はスライディングユニット１７１の長さ方向の側面を支持し前記スライディングユニット１７１が左側または右側に揺動することを防止する。揺動防止部１７７の一例で、固定レバー１７６の両側面に板状の揺動防止部１７７が具備されることができる。そして揺動防止部１７７が固定レバー１７６の位置に構わずにいつもスライディングユニット１７１の両側面を支持する。
【００２２】
本発明による固定装置が備えられたイーゼルは前述した支柱１３０の前方に補助支柱１３５がさらに具備されることができる。補助支柱１３５はイーゼルに黒板を装着する場合に消しゴムや筆記具などをおくなどイーゼルの使用環境により必要な付随的な道具を臨時におくことができる空間になる。
【００２３】
前記のような構成から、本発明による固定装置が備えられたイーゼルは支柱１３０及び/または固定支持台１５０に加圧固定装置１７０が具備されて前記支柱１３０
などに額縁を据え置きし、前記額縁の後面を加圧固定装置１７０が加圧しながら固定するようにできる。加圧固定装置１７０により固定された額縁は風によりイーゼルが搖れるとか人々が過ぎ去りながらぶつかってもイーゼルから離脱して底に落ちるとか傾かなくなる。
【００２４】
このように、本発明の詳細な説明では具体的な実施例に関して説明したが、本発明の範疇から脱しない限度内に様々な変形が可能であることは勿論である。そして、本発明の範囲は説明された実施例に限って決まってはいけないし、後述する特許請求範囲だけではなくこの請求範囲と均等なものなどにより決まらなければならない。
【図１】
0006440842.tif 000002
【図２】
0006440842.tif 000003
【図３】
0006440842.tif 000004
【図４】
0006440842.tif 000005